(57)【要約】【課題】複数の記録ヘッドの主走査方向配列間隔が異なる場合に吸引キャップと保湿キャップを同時に進退移動させるとキャップがノズルに接触してメニスカスを破壊することがある。【解決手段】第２維持回復部８０Ｂは、第１維持回復部８０Ａ及び第２維持回復部８０Ｂの両方のキャップ移動機構８１Ａ、８１Ｂを駆動するモータ２３１と、モータ２３１の駆動力を第１維持回復部８０Ａへ伝達する中間ギヤ２４５ａとを有し、モータ２３１と中間ギヤ２４５ａは第２維持回復部８０Ｂと共に副走査方向へ往復移動可能であり、第２維持回復部８０Ｂの第１位置では、中間ギヤ２４５ａがキャップ移動機構８１Ａと連結状態になり、複数のキャップ８２ａ〜８２ｄの全てを進退させ、第２維持回復部８０Ｂの第２位置では、中間ギヤ２４５ａがキャップ移動機構８１Ａと非連結状態となり、第２維持回復部８０Ｂの吸引キャップ８２ａのみを進退させる。【選択図】図９
2015182388.tif 000002
【特許請求の範囲】
【請求項１】
液滴を吐出するノズルを有する複数の記録ヘッドを搭載し、主走査方向に移動されるキャリッジと、
前記記録ヘッドの維持回復を行う維持回復機構と、を備え、
前記複数の記録ヘッドのうち、少なくとも１つの第１記録ヘッドは他の複数の第２記録ヘッドに対して、主走査方向と直交する副走査方向に位置をずらして配置され、
前記維持回復機構は、
装置本体に固定保持された第１維持回復部と、
前記第１記録ヘッドに対向可能な第１位置と前記第２記録ヘッドに対向可能な第２位置との間で、副走査方向に往復移動可能な第２維持回復部と、を有し、
前記第１維持回復部及び前記第２維持回復部には、
前記記録ヘッドのノズル面をキャッピングするキャップと、
前記キャップを前記記録ヘッドに対して進退させるキャップ移動機構と、を備え、
前記第２維持回復部は、前記第１維持回復部及び前記第２維持回復部の両方の前記キャップ移動機構を駆動する駆動源と、前記駆動源の駆動力を前記第２維持回復部側から前記第１維持回復部側へ伝達する伝達手段と、を有し、
前記駆動源と前記伝達手段は、前記第２維持回復部と共に副走査方向へ往復移動可能であって、
前記第２維持回復部の前記第１位置では、前記伝達手段が前記第１維持回復部の前記キャップ移動機構と連結状態になり、前記駆動源の駆動力を前記第１維持回復部の前記キャップ移動機構に伝達して、前記複数の記録ヘッドに対応する複数のキャップの全てを前記記録ヘッドに対して進退させ、
前記第２維持回復部の前記第２位置では、前記伝達手段が前記第１維持回復部の前記キャップ移動機構と非連結状態となり、前記駆動源の駆動力が前記第２維持回復部の前記キャップ移動機構のみに伝達され、前記第２維持回復部の前記キャップのみを前記記録ヘッドに対して進退させる
ことを特徴とする画像形成装置。
【請求項２】
前記第２維持回復部には、前記記録ヘッドのノズル面をキャッピングし、吸引手段が接続された少なくとも１つの吸引キャップを備えている
ことを特徴とする請求項１に記載の画像形成装置。
【請求項３】
前記第２維持回復部は、前記記録ヘッドのノズル面を払拭するワイパ部材、画像形成に寄与しない液滴を受ける空吐出受けの少なくともいずれかを備えている
ことを特徴とする請求項１又は２に記載の画像形成装置。
【発明の詳細な説明】
【技術分野】
【０００１】
本発明は画像形成装置に関し、特に液滴を吐出する記録ヘッドを搭載したキャリッジを有する画像形成装置に関する。
【背景技術】
【０００２】
画像形成装置として、液滴を吐出する液体吐出ヘッド（液滴吐出ヘッド）を記録ヘッドに使用した液体吐出方式の画像形成装置として、例えばインクジェット記録装置などが知られている。
【０００３】
このような液体吐出方式の画像形成装置にあっては、記録ヘッドのノズルの吐出安定性を維持回復するための維持回復機構を備えている。維持回復機構は、例えばノズル面をキャッピングしてノズルから液体を吸引排出させるための吸引キャップ、ノズル内のインク乾燥、ノズル内への埃混入防止のための保湿キャップ、記録ヘッドのノズル面を払拭して清浄化するワイパ部材（ワイパブレード、ワイピングブレード、ブレードなどとも称される。）などを含む維持回復機構を備え、例えばノズルから増粘インクを吸引キャップ内に排出した後、ノズル面をワイパ部材で払拭してノズルメニスカスを形成する回復動作などを行なう。
【０００４】
従来、副走査方向に位置をずらして配置された記録ヘッドを有するキャリッジと、副走査方向に移動可能に配置された保湿キャップを兼ねる吸引キャップ及び吸引キャップと副走査方向位置をずらして配置された保湿キャップとを有する維持回復機構とを備えるものが知られている（特許文献１）。
【先行技術文献】
【特許文献】
【０００５】
【特許文献１】特開２０１３−３９７２３号公報
【発明の概要】
【発明が解決しようとする課題】
【０００６】
ところで、複数の記録ヘッドの主走査方向の配置間隔が同じであれば、記録ヘッドの数より少ない吸引キャップを使用し、吸引キャップを相対的に主走査方向に移動して吸引を行うようにした場合、吸引キャップがいずれの記録ヘッドに対向していても、他の保湿キャップは他の記録ヘッドに対向するか記録ヘッドから外れる位置になる。
【０００７】
したがって、このような構成であれば、吸引キャップと保湿キャップとを同じキャップ移動機構を使用して同時に記録ヘッドに対して進退移動させることができる。
【０００８】
しかしながら、上記特許文献１に開示されているような構成にあっては、複数の記録ヘッドの配置間隔が異なっている。そのため、吸引キャップと保湿キャップとを同じキャップ移動機構を使用して同時に記録ヘッドに対して進退移動させると、吸引キャップが対向する記録ヘッドをキャッピングしたとき、他の保湿キャップが他の記録ヘッドのノズルに接触してメニスカスを破壊するなどキャッピングに不完全な位置になることがある。
【０００９】
本発明は上記の課題に鑑みてなされたものであり、簡単な構成で、同一の駆動源を使用しつつ、一部のキャップの移動と全部のキャップの移動を行えるようにすることを目的とする。
【課題を解決するための手段】
【００１０】
上記の課題を解決するため、本発明に係る画像形成装置は、
液滴を吐出するノズルを有する複数の記録ヘッドを搭載し、主走査方向に移動されるキャリッジと、
前記記録ヘッドの維持回復を行う維持回復機構と、を備え、
前記複数の記録ヘッドのうち、少なくとも１つの第１記録ヘッドは他の複数の第２記録ヘッドに対して、主走査方向と直交する副走査方向に位置をずらして配置され、
前記維持回復機構は、
装置本体に固定保持された第１維持回復部と、
前記第１記録ヘッドに対向可能な第１位置と前記第２記録ヘッドに対向可能な第２位置との間で、副走査方向に往復移動可能な第２維持回復部と、を有し、
前記第１維持回復部及び前記第２維持回復部には、
前記記録ヘッドのノズル面をキャッピングするキャップと、
前記キャップを前記記録ヘッドに対して進退させるキャップ移動機構と、を備え、
前記第２維持回復部は、前記第１維持回復部及び前記第２維持回復部の両方の前記キャップ移動機構を駆動する駆動源と、前記駆動源の駆動力を前記第２維持回復部側から前記第１維持回復部側へ伝達する伝達手段と、を有し、
前記駆動源と前記伝達手段は、前記第２維持回復部と共に副走査方向へ往復移動可能であって、
前記第２維持回復部の前記第１位置では、前記伝達手段が前記第１維持回復部の前記キャップ移動機構と連結状態になり、前記駆動源の駆動力を前記第１維持回復部の前記キャップ移動機構に伝達して、前記複数の記録ヘッドに対応する複数のキャップの全てを前記記録ヘッドに対して進退させ、
前記第２維持回復部の前記第２位置では、前記伝達手段が前記第１維持駆動部の前記キャップ移動機構と非連結状態となり、前記駆動源の駆動力が前記第２維持回復部の前記キャップ移動機構のみに伝達され、前記第２維持回復部の前記キャップのみを前記記録ヘッドに対して進退させる
構成とした。
【発明の効果】
【００１１】
本発明によれば、簡単な構成で、同一の駆動源を使用しつつ、一部のキャップの移動と全部のキャップの移動を行える。
【図面の簡単な説明】
【００１２】
【図１】本発明を適用した画像形成装置の一例の機構部の要部平面説明図である。
【図２】同機構部の要部側面説明図である。
【図３】維持回復機構の模式的正面説明図である。
【図４】同じく動作説明に供する平面説明図である。
【図５】ヘッド配置とキャップ配置の説明に供する平面説明図である。
【図６】ヘッドとキャップの位置ずれの説明に供する平面説明図である。
【図７】同じく同説明に供する平面説明図である。
【図８】本発明の第１実施形態に係る維持回復機構の模式的正面説明図である。
【図９】同じく模式的側面説明図である。
【図１０】本発明の第２実施形態に係る維持回復機構の模式的側面説明図である。
【図１１】本発明の第３実施形態に係る維持回復機構のキャップ移動機構部分の模式的側面説明図である。
【図１２】同じく維持回復機構の模式的側面説明図である。
【図１３】本発明の第４実施形態におけるヘッド配置とキャップ配置の説明に供する平面説明図である。
【図１４】本発明の第５実施形態におけるヘッド配置とキャップ配置の説明に供する平面説明図である。
【図１５】同実施形態の構成におけるヘッドとキャップの位置ずれの説明に供する平面説明図である。
【発明を実施するための形態】
【００１３】
以下、本発明の実施の形態について添付図面を参照して説明する。本発明を適用した画像形成装置の一例について図１及び図２を参照して説明する。なお、図１は同画像形成装置の機構部の要部平面説明図、図２は同機構部の要部側面説明図である。 
【００１４】
この画像形成装置は、シリアル型画像形成装置である。図示しない側板間に架け渡した主ガイド部材１及び図示しない従ガイド部材でキャリッジ３３を主走査方向に移動可能に保持している。キャリッジ３３は、図示しない主走査モータによって、駆動プーリと従動プーリ間に架け渡したタイミングベルトを介して主走査方向に移動走査する。
【００１５】
キャリッジ３３には、ヘッドホルダ３７ａ、３７ｂが着脱可能に保持されている。
【００１６】
そして、ヘッドホルダ３７ｂには、副走査方向に千鳥状に配置された２つの記録ヘッド３４ａ、３４ｂが搭載されている。ヘッドホルダ３７ａには、記録ヘッド３４ｂと副走査方向位置を同じくして、２つの記録ヘッド３４ｃ、３４ｄが搭載されている。
【００１７】
記録ヘッド３４（３４ａ〜３４ｄ）は、いずれも２列のノズル列を有している。そして、記録ヘッド３４ａと３４ｂはいずれも同色である黒色の液滴を吐出し、記録ヘッド３４ｃと３４ｄの４つのノズル列の内の３列を使用してマゼンタ（Ｍ），シアン（Ｃ），イエロー（ｙ）の液滴を吐出する。
【００１８】
これにより、モノクロ画像については記録ヘッド３４ａ、３４ｂを使用して１スキャン（主走査）で２ヘッド分の幅で画像を形成でき、カラー画像については例えば記録ヘッド３４ｂ〜３４ｄを使用して形成する。
【００１９】
また、記録ヘッド３４ａ〜３４ｄには、各記録ヘッド３４に液体を供給するヘッドタンク３５がそれぞれ設けられている。ヘッドタンク３５には、装置本体に交換可能に装着されるメインタンクであるインクカートリッジ１０ｋ、１０ｃ、１０ｍ、１０ｙから供給チューブ６を介して各色のインクが供給される。
【００２０】
一方、ロール紙Ｐを副走査方向に搬送するために、ロール紙Ｐを吸着して記録ヘッド３４に対向して搬送する搬送手段を備えている。この搬送手段は、搬送ローラ２１と、搬送ローラ２１に加圧されて接触する加圧ローラ２２と、記録ヘッド３４に対向するプラテン部材２３と、プラテン部材２３の吸引孔を介してロール紙（用紙）２０を吸着する吸引ファン２４などで構成される。
【００２１】
さらに、キャリッジ３３の主走査方向の一方側には記録ヘッド３４の維持回復を行う維持回復機構８０が配置されている。また、キャリッジ３３の主走査方向の他方側には記録ヘッド３４から画像形成に寄与しない液滴を吐出する空吐出を行う空吐出受け９０が配置されている。
【００２２】
維持回復機構８０は、メンテナンス手段であり、装置本体に保持された第１維持回復部８０Ａと、装置本体に副走査方向（矢印方向）に往復移動可能に保持された第２維持回復部８０Ｂとを有している。第２維持回復部８０Ｂは記録ヘッド３４ａの維持回復を行うときには図１の位置にあり、記録ヘッド３４ｂ〜３４ｄの維持回復を行うときには第１維持回復部８０Ａと同じ副走査方向位置まで移動する。
【００２３】
この維持回復機構８０は、例えば記録ヘッド３４のノズル面（ノズルが形成された面）をキャッピングする保湿キャップを兼ねた吸引キャップ８２ａ及び保湿キャップ８２ｂ〜８２ｄを備えている。また、維持回復機構８０は、ノズル面を払拭するワイパ部材８３、画像形成に寄与しない液滴（空吐出滴）を受ける空吐出受け８４などを備えている。
【００２４】
このように構成したこの画像形成装置においては、給紙装置からロール紙（ロール状印刷媒体）Ｐが給紙されて、搬送ローラ２１及び加圧ローラ２２によってプラテン部材２３上を吸着されながら副走査方向に搬送される。
【００２５】
そこで、キャリッジ３３を主走査方向に移動させながら画像信号に応じて記録ヘッド３４を駆動することにより、停止しているロール紙Ｐに液滴を吐出して１行分を記録し、ロール紙Ｐを所定量搬送後、次の行の記録を行い、ロール紙Ｐを順次排出する。
【００２６】
次に、維持回復機構８０の一例について図３及び図４を参照して説明する。図３は同維持回復機構の模式的正面説明図、図４は同じく動作説明に供する平面説明図である。
【００２７】
この維持回復機構８０は、上述したように装置本体に固定保持された第１維持回復部８０Ａと、副走査方向に往復移動可能な第２維持回復部８０Ｂとを有している。なお、図中破線で囲む部分が第２維持回復部８０Ｂとして副走査方向に往復移動可能である。
【００２８】
第１維持回復部８０Ａには、保湿キャップ８２ｂ、８２ｃ、８２ｄを備え、第２維持回復部８０Ｂには、吸引キャップ８２ａ、ワイパ部材（ワイパブレード）８３、空吐出受け８４を備え、吸引キャップ８２ａにチューブにて接続された吸引ポンプ２２０を備えている。
【００２９】
また、図示しないが、維持回復機構８０の下方側には維持回復動作によって生じる廃液を収容するための廃液タンクを備えている。
【００３０】
そして、記録ヘッド３４のノズルの維持回復を行うときには、キャリッジ３３をホーム位置である維持回復機構８０に対向する位置に移動する。そして、吸引キャップ８２ａによるキャッピングを行ってノズルからの吸引を行うノズル吸引、画像形成に寄与しない液滴を吐出する空吐出などの維持回復動作を行うことにより、安定した液滴吐出による画像形成を行うことができる。
【００３１】
ここで、記録ヘッド３４ｂ、３４ｃ、３４ｄの維持回復を行うときには、図３の第１記録ヘッドである記録ヘッド３４ａに対向する第１位置から、維持回復機構８０に備えられたアーム１１１によって、図４に示すように、第２維持回復部８０Ｂが第２記録ヘッドである記録ヘッド３４ｂ〜３４ｄに対向可能な第２位置に移動する。
【００３２】
なお、アーム１１１は、維持回復機構８０本体に設置されたアーム支点１１１ｂ、駆動部から駆動力を受けるアーム力点１１１ｃ、第２維持回復部８０Ｂへ駆動力を伝達するアーム作用点１１１ａを構成している。
【００３３】
次に、この画像形成装置におけるヘッド配置とキャップ配置について図５を参照して説明する。図５は同説明に供する平面説明図である。なお、以下の平面説明図においてキャップは透過状態で図示している。
【００３４】
キャリッジ３３のヘッドホルダ３７ａ、３７ｂに搭載された少なくとも３個、ここでは４個の記録ヘッド３４ａ〜３４ｄは、主走査方向において、記録ヘッド３４ｃと記録ヘッド３４ｄとの間隔を「１」とするとき、記録ヘッド３４ａと記録ヘッド３４ｂとの間隔が「１．７５」、記録ヘッド３４ｂと記録ヘッド３４ｃとの間隔が「１．５」になる関係で配置されている。
【００３５】
そして、待機時には吸引キャップ８２ａ、保湿キャップ８２ｂ〜８２ｄによって記録ヘッド３４ａ〜３４ｄをそれぞれキャッピング（封止）しなければならないので、吸引キャップ８２ａ、保湿キャップ８２ｂ〜８２ｄは、主走査方向において、記録ヘッド３４ａ〜３４ｄの配置間隔と同じ配置間隔で配置される。
【００３６】
なお、記録ヘッド３４は、ノズル面３４ｎに、複数のノズル１３４ｎを配列した２つのノズル列１３４ａ、１３４ｂを有している。以下では、ノズル面やノズル列の符号の付記は省略する。
【００３７】
次に、ヘッドとキャップの位置ずれについて図６及び図７を参照して説明する。図６は同説明に供する平面説明図、図７は同じく同説明に供する平面説明図である。
【００３８】
吸引キャップ８２ａで記録ヘッド８２ａをキャッピングするときには上記図５に示す位置（これを初期位置という）となる。したがって、吸引キャップ８２ａで記録ヘッド８２ａをキャッピングするとき、保湿キャップ８２ｂ〜８２ｄをキャッピング方向に移動させても、保湿キャップ８２ｂ〜８２ｄは記録ヘッド３４ｂ〜３４ｄと位置ずれを生じない。
【００３９】
これに対して、吸引キャップ８２ａで記録ヘッド８２ｂをキャッピングするときには、主走査方向において（以下、同じである）、図６に示すように、保湿キャップ８２ｂは記録ヘッド３４ｃに部分的に対向し、ノズル列１３４ｂに保湿キャップ８２ｂのニップ部（ノズル面に当って接触する部分）が干渉する位置になる。なお、保湿キャップ８２ｃ、８２ｄは記録ヘッド３４のノズル面とは干渉しない位置になる。
【００４０】
また、吸引キャップ８２ａで記録ヘッド３４ｃ、あるいは、３４ｄをキャッピングするときには、図７に示すように、保湿キャップ８２ｂ〜８２ｄは記録ヘッド３４のノズル面とは干渉しない位置になる。
【００４１】
上記の図６に示すように、吸引キャップ８２ａで記録ヘッド３４のノズル面をキャッピングするときに他の保湿キャップが他の記録ヘッド３４のノズル面を不完全にキャッピングする（キャッピングが不完全になる位置になる）と、ノズルメニスカスが破壊されたりする。
【００４２】
そこで、本発明では、共通の駆動源を使用しつつ一部のキャップである吸引キャップの移動と全部のキャップの移動を行えるようにする。
【００４３】
次に、本発明の第１実施形態について図８及び図９を参照して説明する。図８は同実施形態に係る維持回復機構の模式的正面説明図、図９は同じく模式的側面説明図である。
【００４４】
本実施形態では、第２維持回復部８０Ｂの吸引キャップ８２ａと第１維持回復部８０Ａの保湿キャップ８２ｂ〜８２ｄを同一の駆動源であるモータ２３１によって進退させるキャップ移動機構８１Ａ、８１Ｂと伝達手段である中間ギヤ２４５ａとを備え、吸引キャップ８２ａ及び保湿キャップ８２ｂ〜８２ｄを同時又は吸引キャップ８２ａを単独で記録ヘッド３４に対して進退移動する。
【００４５】
第２維持回復部８０Ｂでは、維持装置のフレーム２１１に、キャップホルダ２１２ａに保持されたキャップ８２ａと、弾性体を含むワイパ部材８３と、ワイパクリーナ８６とがそれぞれ移動可能（上下動可能）に保持されている。
【００４６】
そして、ワイパ部材８３と吸引キャップ８２ａとの間には筒状の空吐出受け８４が配置され、この空吐出受け８４のワイパ部材８３側上端部はワイパ部材８３に付着したインクを掻き落とすワイパクリーナ部８５が形成されている。ワイパ部材８３のクリーニングを行うときにはワイパクリーナ８６でワイパ部材８３をワイパクリーナ部８５に押し付けた状態でワイパ部材８３を下降させることにより、ワイパ部材８３に付着したインクを空吐出受け８４側に掻き落す。
【００４７】
また、吸引キャップ８２ａにはチューブ２１９を介して吸引手段である吸引ポンプ２２０を接続している。
【００４８】
また、キャップ移動機構８１Ｂとして、吸引キャップ８２ａ、ワイパ部材８３などの下方にはフレーム２１１に回転自在に支持したカム軸２２１ａを配置している。このカム軸２２１ａには、キャップホルダ２１２ａを移動させるためのキャップカム２２２ａと、ワイパ部材８３を昇降させるためのワイパカム２２４、空吐出受け８４内のコロ２２６と、ワイパクリーナ８６を動かすクリーナカム２２８をそれぞれ設けている。キャップホルダ２１２ａが移動することで吸引キャップ８２ａが記録ヘッド３４のノズル面に対して進退移動する。
【００４９】
そして、吸引ポンプ２２０及びカム軸２２１ａを回転駆動するために、駆動源であるモータ２３１の回転をモータ軸２３１ａに設けたモータギヤ２３２に、吸引ポンプ２２０のポンプ軸２２０ａに設けたポンプギヤ２３３を噛み合わせている。
【００５０】
さらに、ポンプギヤ２３３と一体の中間ギヤ２３４に中間ギヤ２３５を介して一方向クラッチ２３７付きの中間ギヤ２３６を噛み合わせている。この中間ギヤ２３６と同軸の中間ギヤ２３８に中間ギヤ２３９を介してカム軸２２１ａに固定したカムギヤ２４０を噛み合わせている。
【００５１】
なお、クラッチ２３７付きの中間ギヤ２３６、２３８の回転軸である中間軸２４１はフレーム２１１にて回転可能に保持している。
【００５２】
一方、第１維持回復部８０Ａは、維持装置フレーム２１１に、キャップホルダ２１２ｂ〜２１２ｄにそれぞれ保持された保湿キャップ８２ｂ〜８２ｄがそれぞれ移動可能（上下動可能）に保持されている。
【００５３】
また、キャップ移動機構８１Ａとして、保湿キャップ８２ｂ〜８２ｄの下方にはフレーム２１１に回転自在に支持したカム軸２２１ｂを配置している。このカム軸２２１ｂには、キャップホルダ２１２ａから２１２ｄをそれぞれ移動させるためのキャップカム２２２ｂ〜２２２ｄを設けている。キャップホルダ２１２ｂ〜２１２ｄが移動することで保湿キャップ８２ｂ〜８２ｄが記録ヘッド３４のノズル面に対して進退移動する。
【００５４】
そして、第２維持回復部８０Ｂのモータ２３１からカム軸２２１ａに伝達した駆動力を、伝達手段である中間ギヤ２４５ａと、中間ギヤ２４５ｂ、２４６、及び中間ギヤ２４７ａ、２４７ｂを介して、第１維持回復部８０Ａのカム軸２２１ｂへ伝達する構成としている。
【００５５】
ここで、駆動源であるモータ２３１及び伝達手段である中間ギヤ２４５は、第２維持回復部８０Ｂとともに副走査方向に往復移動可能に配置している。なお、本実施形態では、第２維持回復部８０Ｂはモータ２３１及び中間ギヤ２４５を含むものとして説明しているので、第２維持回復部８０Ｂとともに副走査方向に往復移動可能とは、ここではキャップ８２ａとともに副走査方向に往復移動可能であるという意味である。
【００５６】
モータ２３１からカム軸２２１ａに伝達した駆動力は、中間ギヤ２４５ａから中間ギヤ２４７ａを介して中間ギヤ２４６に伝達され、更に、中間ギヤ２４７ｂを介して中間ギヤ２４５ｂに伝達されてカム軸２２１ｂが回転する。このカム軸２２１ｂの回転によってカム２２２ｂ〜２２２ｄが回転し保湿キャップ８２ｂ〜８２ｄが昇降（進退）する。
【００５７】
このように構成したので、図９（ａ）に示すように、第２維持回復部８０Ｂが第１位置にあるときには、モータ２３１からの駆動力を受けるカム軸２２１ａに固定した中間ギヤ２４５ａと中間ギヤ２４７ａとが連結状態にある。
【００５８】
したがって、モータ２３１を回転駆動することによって、カム軸２２１ａが回転して吸引キャップ８２ａが昇降（進退）するとともに、カム軸２２１ｂが回転して保湿キャップ８２ｂ〜８２ｄが昇降（進退）する。
【００５９】
これに対して、図６（ａ）の矢印方向に第２維持回復部８０Ｂを移動させて図９（ｂ）の第２位置にすると、モータ２３１からの駆動力を受けるカム軸２２１ａに固定した中間ギヤ２４５ａと中間ギヤ２４７ａとが非連結状態になる。
【００６０】
そのため、モータ２３１からの駆動力はカム軸２２１ｂに伝達されない。
【００６１】
これにより、吸引キャップ８２ａで記録ヘッド３４ｂ、３４ｃ又は３４ｄのノズル面をキャッピングするために上昇（進出）させても、保湿キャップ８２ｂ、８２ｃ、８２ｄは、いずれも記録ヘッド側に上昇しないため、記録ヘッド３４ｂ、３４ｃ、３４ｄと保湿キャップ８２ｂ、８２ｃ、８２ｄが対向位置になくても接触することはない。
【００６２】
また、図９（ａ）の中間ギヤ２４５ａと中間ギヤ２４７ａの位置関係は、吸引キャップ８２ａが副走査方向（図９（ａ）の矢印方向）に移動するので、中間ギヤ２４５ａが中間ギヤ２４７ａの右側に配置して吸引キャップ８２ａが戻ってくるときに噛み合いやすいようにする必要がある。
【００６３】
すなわち、第２維持回復部８０Ｂは、第１維持回復部８０Ａ及び第２維持回復部８０Ｂの両方のキャップ移動機構８１Ａ、８１Ｂを駆動する駆動源であるモータ２３１と、モータ２３１の駆動力を第２維持回復部８０Ｂ側から第１維持回復部８０Ａ側へ伝達する伝達手段である中間ギヤ２４５ａとを有している。
【００６４】
ここで、駆動源であるモータ２３１と伝達手段である中間ギヤ２４５ａは、第２維持回復部８０Ｂと共に副走査方向へ往復移動可能である。
【００６５】
そして、第２維持回復部８０Ｂの第１位置では、中間ギヤ２４５ａ（伝達手段）が第１維持回復部８０Ａのキャップ移動機構８１Ａと連結状態になり、モータ２３１の駆動力をキャップ移動機構８１Ａに伝達して、複数の記録ヘッド３４ａ〜３４ｄに対応する複数のキャップ８２ａ〜８２ｄの全てを記録ヘッド３４ａ〜３４ｄに対して進退させる。
【００６６】
一方、第２維持回復部８０Ｂの第２位置では、中間ギヤ２４５ａ（伝達手段）が第１維持回復部８０Ａのキャップ移動機構８１Ａと非連結状態となり、モータ２３１の駆動力が第２維持回復部８０Ｂのキャップ移動機構８１Ｂのみに伝達され、第２維持回復部８０Ｂの吸引キャップ８２ａのみを記録ヘッドに対して進退させる。
【００６７】
これによって、簡単な構成で、同一の駆動源を使用しつつ、一部のキャップの移動と全部のキャップの移動を行えるようになる。
【００６８】
次に、本発明の第２実施形態について図１０を参照して説明する。図１０は同実施形態に係る維持回復機構の模式的側面説明図である。
【００６９】
本実施形態では、上記第１実施形態における中間ギヤ２４７ａは、中間ギヤ２４６の中心を支点として、図１０（ｂ）に示す実線位置と破線位置（図１０（ａ）の位置でもある。）との間で揺れ動くことが可能に支持されている。
【００７０】
これにより、図１０（ａ）に示す位置から吸引キャップ８２ａを第２位置に移動した後、図１０（ｂ）の第１位置に戻すとき、中間ギヤ２４５ａが中間ギヤ２４７ａに噛み合いやすくなる。
【００７１】
次に、本発明の第３実施形態について図１１及び図１２を参照して説明する。図１１は同実施形態に係る維持回復機構のキャップ移動機構部分の模式的側面説明図、図１２は同じく維持回復機構の模式的側面説明図である。
【００７２】
本実施形態のキャップ移動機構８１Ａでは、キャップホルダ２１２ｂに設けられた支持ピン２５４がスライドレール２５２のガイド溝２５３に移動可能に支持されている。
【００７３】
スライドレール２５２に底部側には、三角カム２５５がカム軸２２１ｂに取付けられて配置されている。三角カム２５５は、スライドレール２５２の底部側に設けたカム受け部２５２ａ内に配置されている。
【００７４】
このキャップ移動機構８１Ａにおいては、三角カム２５５が回転することでスライドレール２５２が図１１の左右方向に往復移動する。
【００７５】
例えば、三角カム２５５が図１０（ａ）の位置にあるときは、スライドレール２５２が図１０の左方向に移動し、スライドレール２５２のガイド溝２５３に沿って支持ピン２５４が移動し、キャップホルダ２１２ｂに保持されたキャップ８２ｂが上昇する。
【００７６】
一方、三角カム２５５が図１０（ｂ）の位置にあるときは、スライドレール２５２が図１０の右方向に移動し、スライドレール２５２のガイド溝２５３に沿って支持ピン２５４が移動し、キャップホルダ２１２ｂに保持されたキャップ８２ｂが下降する。
【００７７】
そこで、第２実施形態を適用して、図１２に示すようにキャップ移動機構８１のカム軸２２１ｂの中間ギヤ２２２ｂに中間ギヤに２４５ａを介して駆動力を伝達するようにしている。
【００７８】
次に、本発明の第４実施形態について図１３を参照して説明する。図１３は同実施形態におけるヘッド配置とキャップ配置の説明に供する平面説明図である。
【００７９】
本実施形態は、ヘッドホルダ３７ｂに３つの記録ヘッド３４ｃ〜３４ｅを配置し、第１維持回復部８０ＢＡに３つのキャップ８２ｃ〜８３ｄを配置した例である。
【００８０】
本実施形態でも前記第１ないし第３実施形態を適用することで、簡単な構成で、同一の駆動源を使用しつつ、一部のキャップの移動と全部のキャップの移動を行えるようになる。
【００８１】
次に、本発明の第５実施形態について図１４を参照して説明する。図１４は同実施形態におけるヘッド配置とキャップ配置の説明に供する平面説明図である。
【００８２】
本実施形態では、キャリッジ３３のヘッドホルダ３７ａ、３７ｂに搭載された３個の記録ヘッド３４ａ〜３４ｃは、１列に、主走査方向において、記録ヘッド３４ｂと記録ヘッド３４ｃとの間隔を「１」とするとき、記録ヘッド３４ａと記録ヘッド３４ｂとの間隔が「１．２」になる関係で配置されている。
【００８３】
また、記録ヘッド３４ａ、３４ｂは２列のノズル列を有するのに対し、記録ヘッド３４ｃは４列のノズル列を有している。これに対応して、吸引キャップ８２ａ、保湿キャップ８２ｂよりも保湿キャップ８２ｃの主走査方向幅は広くなっている。
【００８４】
そして、吸引キャップ８２ａ、保湿キャップ８２ｂ、８２ｃの配置間隔は記録ヘッド３４ａ〜３４ｃの配置間隔と同じである。なお、ここでは、記録ヘッド３４ａ、３４ｂを前記第１実施形態と同様に同一のヘッドホルダ３７ｂに保持してキャリッジ３３に搭載している。
【００８５】
次に、この構成におけるヘッドとキャップの位置ずれについて図１５を参照して説明する。図１５は同説明に供する平面説明図である。
【００８６】
このような配置では、図１５に示すように、吸引キャップ８２ａで記録ヘッド３４ｂの吸引を行うときに、保湿キャップ８２ｂが記録ヘッド３４ｃのノズル面の一部をキャッピングする位置になる。
【００８７】
そこで、本実施形態でも前記第１ないし第３実施形態を適用することで、簡単な構成で、同一の駆動源を使用しつつ、一部のキャップの移動と全部のキャップの移動を行えるようになる。
【００８８】
以上の実施形態では、吸引キャップが１つである例で説明したが、２以上の吸引キャップを備える場合にも適用することができる。
【００８９】
なお、本願において、「用紙」とは材質を紙に限定するものではなく、被記録媒体、記録媒体、記録紙、記録用紙などと称されるものを含む。また、画像形成、記録、印字、印写、印刷はいずれも同義語とする。
【００９０】
また、「画像形成」とは、文字や図形等の意味を持つ画像を媒体に対して付与することだけでなく、パターン等の意味を持たない画像を媒体に付与すること（単に液滴を媒体に着弾させること）をも意味する。
【００９１】
また、「画像」とは平面的なものに限らず、立体的に形成されたものに付与された画像、また立体自体を三次元的に造形して形成された像も含まれる。
【００９２】
また、記録ヘッドが鉛直方向下方向に向けて液滴を吐出する垂直打ち方式の画像形成装置だけでなく、記録ヘッドが鉛直方向と直交する方向ないし交差する方向に向けて液滴を吐出する水平打ち方式の画像形成装置にも適用することができる。
【符号の説明】
【００９３】
１  ガイドロッド
３３  キャリッジ
３４、３４ａ〜３４ｅ  記録ヘッド
３８  ガイド部材
３９  ガイドピン受け部材
８０  維持回復機構
８０Ａ  第１維持回復部
８０Ｂ  第２維持回復部
８１Ａ、８１Ｂ  キャップ移動機構
８２ａ  吸引キャップ
８２ｂ〜８２ｅ  保湿キャップ
【図１】
2015182388.tif 000003
【図２】
2015182388.tif 000004
【図３】
2015182388.tif 000005
【図４】
2015182388.tif 000006
【図５】
2015182388.tif 000007
【図６】
2015182388.tif 000008
【図７】
2015182388.tif 000009
【図８】
2015182388.tif 000010
【図９】
2015182388.tif 000011
【図１０】
2015182388.tif 000012
【図１１】
2015182388.tif 000013
【図１２】
2015182388.tif 000014
【図１３】
2015182388.tif 000015
【図１４】
2015182388.tif 000016
【図１５】
2015182388.tif 000017